(57)【要約】【課題】　車載用の受信装置でも、ＢＭＬなど、デジタル放送でリモコン装置の使用を前提として放送されるデータを有効に利用することが可能なようにする。【解決手段】　ディスプレイ１８とタッチパネル１９とで、リモコン装置への操作を代用可能にする。変換・管理４０は、ＢＭＬブラウザ３３での表示で、リモコン装置の特殊キーなどの操作に対応するソフトリモコン機能を実現するためのＢＭＬ記述の解析を行い、タッチパネル１９の機能の割当てを行う。イベント要素などが込み入っているときは、いったん指示された位置の近傍を拡大して、誤操作などが生じないようにする。【選択図】　　　図１
2004140811.tif 000002
【特許請求の範囲】
【請求項１】
　予め定める機能を備えるリモコン装置でのキー操作を前提として、受信者側での操作入力を受付け、入力結果を反映した放送情報を提供するための操作入力用情報を含むデジタル放送を受信可能なデジタル放送受信装置であって、
　表面上に接触することによって入力操作が可能なタッチパネルと、
　表示手段と、
　操作入力用情報に含まれるリモコン装置に関する動作を解析し、解析結果に基づいて、タッチパネルの接触操作用の領域に、リモコン装置への操作入力の機能を割当てる解析手段と、
　タッチパネルへの接触操作に応答し、解析手段による割当てに従って、接触操作が行われる領域に応じて、リモコン装置への操作入力に相当する応答を実行させるように制御する制御手段とを含むことを特徴とするデジタル放送受装置。
【請求項２】
　前記デジタル放送は、前記操作入力用情報を、前記リモコン装置への入力操作によって発生するイベントに対応付けられ、予め設定される放送用の文書記述言語で記述されるコンテンツとして含み、
　前記タッチパネルは、前記表示手段が前記操作入力用情報に基づき表示する画面の表面に設置され、
　前記解析手段は、前記領域の割当てに対応して、表示手段に操作案内用の表示を行い、
　前記制御手段は、操作案内用の表示に対応するタッチパネルの領域に対して接触操作が行われると、該領域に割当てられているリモコン装置への操作入力によって発生するイベントを発生させるように制御することを特徴とする請求項１記載のデジタル放送受信装置。
【請求項３】
　前記解析手段は、前記リモコン装置の操作入力機能に、前記動作の解析によっては前記領域を割当てられない操作入力機能が含まれるとき、該操作入力機能に対しても、前記タッチパネルの接触操作用の領域をソフトリモコン機能用として割当て、該ソフトリモコン機能用の領域に対応し、前記表示手段に該ソフトリモコン機能の操作案内用の表示を行うことを特徴とする請求項１または２記載のデジタル放送受信装置。
【請求項４】
　前記解析手段は、前記ソフトリモコン機能用として割当てる領域を、前記動作の解析によって割当てられる領域には重ならないように、前記タッチパネルに割当てることを特徴とする請求項３記載のデジタル放送受信装置。
【請求項５】
　前記解析手段は、前記タッチパネルに前記ソフトリモコン機能用として割当てる適切な領域が存在しない場合は、一定時間毎に割当てる領域を移動させることを特徴とする請求項４記載のデジタル放送装置。
【請求項６】
　前記解析手段は、前記ソフトリモコン機能に対する操作入力が予め定める時間内に行われないとき、該ソフトリモコン機能用としての割当てを停止し、該ソフトリモコン機能に対する前記操作案内用の表示も停止することを特徴とする請求項３〜５のいずれかに記載のデジタル放送受信装置。
【請求項７】
　前記解析手段は、前記表示手段で前記操作入力用情報が表示される領域外に対応する前記タッチパネルの領域に、前記ソフトリモコン機能を作動させる領域を割当て、該領域への接触操作を前記制御手段が検知することによって、該ソフトリモコンの機能を作動させることを特徴とする請求項３〜６のいずれかに記載のデジタル放送受信装置。
【請求項８】
　音声入力を認識する音声認識手段をさらに含み、
　前記解析手段は、音声認識手段が予め定める指示を認識する結果に応答して、前記ソフトリモコン機能を作動させることを特徴とする請求項３〜７のいずれかに記載のデジタル放送受信装置。
【請求項９】
　前記解析手段は、前記ソフトリモコン機能用として割当てる前記タッチパネルの領域に対応する前記表示手段への前記操作案内用の表示を、予め設定される時間間隔で、割当てが有効か無効かを切換えることを特徴とする請求項３〜８のいずれかに記載のデジタル放送受信装置。
【請求項１０】
　前記解析手段は、
　前記表示手段に、カーソルと、予め定めるイベントに対応付けられ、該カーソルの位置で指定可能なイベント要素とを表示し、
　前記リモコン装置がカーソルを移動させるイベントとして、前記制御手段が検出する前記タッチパネルへの接触位置の移動を対応させ、
　該リモコン装置がカーソルの位置でイベント要素の決定を行うイベントとして、制御手段が検出するタッチパネルへの接触を停止して離脱する動作を対応させることを特徴とする請求項２〜９のいずれかに記載のデジタル放送受信装置。
【請求項１１】
　前記制御手段は、前記タッチパネルへの接触を停止して離脱する位置に対応する前記表示手段の前記操作入力用情報に、前記イベント要素が存在するか否かを判断し、イベント要素が存在しなければ、前記決定を行う動作として解釈しないことを特徴とする請求項１０記載のデジタル放送受信装置。
【請求項１２】
　前記解析手段は、前記表示手段への前記イベント要素の表示を、予め他の画像と識別可能なように設定される表示態様で行うことを特徴とする請求項２〜１１のいずれかに記載のデジタル放送受信装置。
【請求項１３】
　前記解析手段は、前記解析結果に基づく前記タッチパネルの接触操作が行われる領域の割当てが込み入っているか否かを、予め定める基準に従って判断し、込み入っていると判断するときは、前記制御手段による最初の接触検出に応答し、該接触が検出される領域付近を拡大するように再度割当て、
　該制御手段は、解析手段によって再度割当てられる領域への接触の検出結果に応じて、前記応答を実行するように制御することを特徴とする請求項１〜１２のいずれかに記載のデジタル放送受信装置。
【請求項１４】
　前記解析手段は、前記再度の割当て後の予め定める時間の範囲内に、前記制御手段が前記タッチパネルへの接触操作を検出しないとき、前記領域の再度の割当てを停止することを特徴とする請求項１３記載のデジタル放送受信装置。
【請求項１５】
　操作入力を受付け、入力結果を反映した放送情報を提供するための操作入力用情報を含むデジタル放送を受信可能なデジタル放送受信装置であって、
　表面上に接触することによって入力操作が可能なタッチパネルと、
　表示手段と、
　操作入力用情報を解析し、解析結果に基づいて、タッチパネルの所定領域に、操作入力の機能を割当てる解析手段と、
　タッチパネルへの接触操作に応答し、解析手段による割当てに従って、接触操作が行われる領域に応じて、相当する応答を実行させるように制御する制御手段とを含むことを特徴とするデジタル放送受信装置。
【発明の詳細な説明】
【技術分野】
【０００１】
　本発明は、衛星系デジタル放送や、地上デジタル放送などを受信するデジタル放送受信装置に関する。
【背景技術】
【０００２】
　従来から、静止軌道の人工衛星を利用する衛星系のデジタル放送として、放送衛星からのＢＳ（Broadcasting Satellite）デジタル放送や、通信衛星からのＣＳ（
Communication Satellite ）デジタル放送などが行われている。また、地上に設置するアンテナでデジタル放送を行う地上デジタル放送の開始準備も進められている。これらのデジタル放送については、社団法人電波産業界（ＡＲＩＢ）で規格化の作業が進められ、ＭＰＥＧ（Moving Picture Experts Group）によって国際的に策定されているカラー動画像圧縮技術のうち、ＭＰＥＧ２と呼ばれるＩＳＯ（国際標準化機構）１３８１８の技術が採用されている（たとえば、非特許文献１および非特許文献２参照。）。ＭＰＥＧ２では、符号化された映像や音声をパケット化し、伝送に適した固定長のＴＳ（Transport Stream）の形式で送信する。
【０００３】
　図１０は、デジタル放送で送信されるＭＰＥＧ−ＴＳ信号の構成を示す。ＭＰＥＧ−ＴＳ信号では、映像（Video ）、音声（Audio ）、データ（Data）を含む複数のサービスや番組の内容を多重化して送信可能である。各サービスや番組のデータは、それぞれ複数のＴＳパケットに分割される。各ＴＳパケットは１８８バイトの固定長であり、４バイトのパケットヘッダを含む。パケットヘッダには、ＰＩＤと呼ばれるパケット識別子が含まれ、そのＴＳパケットを識別可能にしている。ＴＳパケットは、同じＰＩＤを有するもの同士が同一のサービスや番組のデータを構成する。ＴＳパケットのＰＩＤによって識別される特別な情報として、多種類のサービスや番組からの選択や視聴を容易にするため、ＰＳＩ（Program Specific Information）やＳＩ（Service Information ）なども使用される。さらに、ＥＰＧ（Electronic Program Guide）と呼ばれ、放送予定の番組の内容閲覧や検索、予約を可能にする機能を提供するサービスも使用される。ＥＰＧには、ＳＩの情報が利用される。ＭＰＥＧ−ＴＳ信号で放送されるデータは、ＢＭＬ（Broadcast Markup Language ）と呼ばれる文書記述言語を用いて記述される。ＥＰＧをＢＭＬを用いて提供することもできる。
【０００４】
　図１１は、ＢＭＬを用いるデータ放送の概要を示す。図１０に示すようなＭＰＥＧ−ＴＳ信号のうちのデータとして、ＢＭＬ文書１として示すようなタグ付の記述内容が送信される。このＢＭＬ文書１の記述内容は、たとえばオブジェクトツリー２として示すようなオブジェクト間の関連性を定義しており、具体的には、動画プレーン３、静止画プレーン４および文字・図形プレーン５を重ねて、表示画面６ａ，６ｂを生成することを定義しているものとする。動画プレーン３に表示する動画像は、ＭＰＥＧ−ＴＳ信号のうちの映像として送信されるものを使用することができる。静止画プレーン４では、背景の画像と、その一部を切抜いて形成する窓とが、データとして送信される。文字・図形プレーン５では、イベント要素として、行程表５ａ、料金５ｂおよび予約５ｃのボタン表示用のデータが送信される。これらのイベント要素は、視聴者による選択の対象となり、初期状態として、たとえば一番上の行程表５ａが選択されるようなフォーカス表示がなされる。表示画面６ａは、行程表５ａのフォーカス表示を伴って、動画プレーン３、静止画プレーン４および文字・図形プレーン５を順次上に重ねるように形成される。動画プレーン３の動画像は、静止画プレーン４の窓４ａに合わせて縮小するように、スケーリング処理が施される。
【０００５】
　表示画面６ａでは、リモコン装置７による操作で、イベント要素の選択を変えることができる。視聴者がリモコン装置７の下向き矢印キー７ａを押すと、リモコンキーＤｏｗｎのイベント８が発生し、応答動作９として、文字・図形プレーン５上で、行程表５ａの下の料金５ｂにフォーカスが移り、全体の表示画面６ｂとなる。視聴者がリモコン装置７の決定キー７ｂを押すと、そのときフォーカス表示されているイベント要素に対応する動作が行われる。この動作はＢＭＬ文書１で記述されており、たとえば行程表５ａを選択すると、旅行の日程が表示され、料金５ｂを選択すると旅行の料金が表示される。リモコン装置７には、数値入力用の数字キー７ｃや、青、赤、緑、黄のカラーボタン７ｄと呼ばれる特殊キーなども設けられている。
【０００６】
　図１１に示すようなＢＭＬによって実現されるデータ放送は、家庭用テレビ受像機での受信を想定しており、操作にはリモコン装置７を用いることが前提となっている。一方、デジタル放送は移動体でも受信が可能であり、データ放送も提供が可能であり、交通情報の伝達などに有効に利用することが期待される。しかしながら、車載受信機においては、安全性を考慮し、リモコン操作ではなく、タッチパネルによる操作が好ましい。また、個人用のテレビ受像機などでも、直接画面に指示が可能なほうが便利な場合がある。
【０００７】
　タッチパネルは液晶表示装置などの表面に形成される（たとえば、特許文献１参照。）。タッチパネルは、たとえば透明な抵抗膜であり、接触圧で抵抗値が低下することによって、位置検出を行う。操作者に対してタッチパネルのどの部分に接触すべきかを案内するために、表示装置ではボタンなどの操作用画像が表示される。タッチパネルを取付けた表示装置は、操作の必要上、車載用機器の表面側で画像表示も行う。大型のプラズマ表示装置（ＰＤＰ）を用いるタッチパネルについては、機能を拡張することも提案されている（たとえば、特許文献２参照。）。
【０００８】
【特許文献１】特開平９−４４３０７号公報（第３頁、図４）
【特許文献２】特開２０００−１４８３４７号公報
【非特許文献１】社団法人映像情報メディア学会編、「デジタル放送局システムのしくみ」、第１版、株式会社オーム社、平成１３年１１月２０日、ｐ．１３−１３０
【非特許文献２】山田宰編、「ディジタル放送の技術とサービス」、初版、株式会社コロナ社、２００１年９月７日、ｐ．３６−１６６，２６５−２８０
【発明の開示】
【発明が解決しようとする課題】
【０００９】
　前述のように、デジタル放送ではリモコン装置７による操作を前提としてＢＭＬで記述されたデータが送信される。これら操作に関しては、特に車載の機器では、操作の際にリモコン装置７と表示画面の両方を交互に見る必要のあるリモコン装置７の使用よりも、表示画面だけ見ればよいタッチパネルの使用の方が好ましい。特に運転手は操作できる時間が停車中等の短時間に限られるため、リモコン装置７によるデータ放送に適合する操作を行うことができず、データを有効に利用することが困難である。なお、家庭用のテレビ受像機でも、画面に直接接触して指示するほうが、判りやすい。
【００１０】
　本発明の目的は、たとえばＢＭＬなど、デジタル放送でリモコン装置の使用を前提として放送されるデータを有効に利用することが可能な、デジタル放送受信装置を提供することである。
【課題を解決するための手段】
【００１１】
　本発明は、予め定める機能を備えるリモコン装置でのキー操作を前提として、受信者側での操作入力を受付け、入力結果を反映した放送情報を提供するための操作入力用情報を含むデジタル放送を、受信可能なデジタル放送受信装置であって、
　表面上に接触することによって入力操作が可能なタッチパネルと、
　表示手段と、
　操作入力用情報に含まれるリモコン装置に関する動作を解析し、解析結果に基づいて、タッチパネルの接触操作用の領域に、リモコン装置への操作入力の機能を割当てる解析手段と、
　タッチパネルへの接触操作に応答し、解析手段による割当てに従って、接触操作が行われる領域に応じて、リモコン装置への操作入力に相当する応答を実行させるように制御する制御手段とを含むことを特徴とするデジタル放送受装置である。
【００１２】
　本発明に従えば、デジタル放送受信装置は、予め定める機能を備えるリモコン装置でのキー操作を前提として、受信者側での操作入力を受付け、入力結果を反映した放送情報を提供するための操作入力用情報を含むデジタル放送を、受信可能とするために、タッチパネルと、表示手段と、解析手段と、制御手段とを含む。タッチパネルは、表面上に接触することによって入力操作が可能である。表示手段には、操作入力用情報を表示する。解析手段は、操作入力用情報に含まれるリモコン装置に関する動作を解析し、解析結果に基づいて、タッチパネルの接触操作用の領域に、リモコン装置への操作入力の機能を割当てる。制御手段は、タッチパネルへの接触操作に応答し、解析手段による割当てに従って、接触操作が行われる領域に応じて、リモコン装置への操作入力に相当する応答を実行させるように制御する。解析手段によって、リモコン装置への操作入力の機能をタッチパネルの領域に割当て、割当てられる領域に対する接触操作があれば、リモコン装置への操作入力として相当する動作を実行するので、リモコン装置を用いずに、デジタル放送でリモコン装置の使用を前提として放送されるデータを有効に利用することが可能となる。
【００１３】
　また本発明で、前記デジタル放送は、前記操作入力用情報を、前記リモコン装置への入力操作によって発生するイベントに対応付けられ、予め設定される放送用の文書記述言語で記述されるコンテンツとして含み、
　前記タッチパネルは、前記表示手段が前記操作入力用情報に基づき表示する画面の表面に設置され、
　前記解析手段は、前記領域の割当てに対応して、表示手段に操作案内用の表示を行い、
　前記制御手段は、操作案内用の表示に対応するタッチパネルの領域に対して接触操作が行われると、該領域に割当てられているリモコン装置への操作入力によって発生するイベントを発生させるように制御することを特徴とする。
【００１４】
　また本発明で、前記解析手段は、前記リモコン装置の操作入力機能に、前記動作の解析によっては前記領域を割当てられない操作入力機能が含まれるとき、該操作入力機能に対しても、前記タッチパネルの接触操作用の領域をソフトリモコン機能用として割当て、該ソフトリモコン機能用の領域に対応し、前記表示手段に該ソフトリモコン機能の操作案内用の表示を行うことを特徴とする。
【００１５】
　また本発明で、前記解析手段は、前記タッチパネルに前記ソフトリモコン機能用として割当てる適切な領域を、前記動作の解析によって割当てられる領域には重ならないように、前記タッチパネルに割当てることを特徴とする。
【００１６】
　また本発明で、前記解析手段は、前記ソフトリモコン機能用として割当てる領域が存在しない場合は、一定時間毎に割当てる領域を移動させることを特徴とする。
【００１７】
　また本発明で、前記解析手段は、前記ソフトリモコン機能に対する操作入力が予め定める時間内に行われないとき、該ソフトリモコン機能用としての割当てを停止し、該ソフトリモコン機能に対する前記操作案内用の表示も停止することを特徴とする。
【００１８】
　また本発明で、前記解析手段は、前記表示手段で前記操作入力用情報が表示される領域外に対応する前記タッチパネルの領域に、前記ソフトリモコン機能を作動させる領域を割当て、該領域への接触操作を前記制御手段が検知することによって、該ソフトリモコンの機能を作動させることを特徴とする。
【００１９】
　また本発明は、音声入力を認識する音声認識手段をさらに含み、
　前記解析手段は、音声認識手段が予め定める指示を認識する結果に応答して、前記ソフトリモコン機能を作動させることを特徴とする。
【００２０】
　また本発明で、前記解析手段は、前記ソフトリモコン機能用として割当てる前記タッチパネルの領域に対応する前記表示手段への前記操作案内用の表示を、予め設定される時間間隔で、割当てが有効か無効かを切換えることを特徴とする。
【００２１】
　また本発明で、前記解析手段は、
　前記表示手段に、カーソルと、予め定めるイベントに対応付けられ、該カーソルの位置で指定可能なイベント要素とを表示し、
　前記リモコン装置がカーソルを移動させるイベントとして、前記制御手段が検出する前記タッチパネルへの接触位置の移動を対応させ、
　該リモコン装置がカーソルの位置でイベント要素の決定を行うイベントとして、制御手段が検出するタッチパネルへの接触を停止して離脱する動作を対応させることを特徴とする。
【００２２】
　また本発明で、前記制御手段は、前記タッチパネルへの接触を停止して離脱する位置に対応する前記表示手段の前記操作入力用情報に、前記イベント要素が存在するか否かを判断し、イベント要素が存在しなければ、前記決定を行う動作として解釈しないことを特徴とする。
【００２３】
　また本発明で、前記解析手段は、前記表示手段への前記イベント要素の表示を、予め他の画像と識別可能なように設定される表示態様で行うことを特徴とする。
【００２４】
　好適な例では、前記解析手段は、前記イベント要素の表示を、表示の塗りつぶし色を変更する表示態様で行うことを特徴とする。この場合、要素の塗りつぶし色の変化で、イベント要素を他の要素と容易に判別可能なようにすることができる。
【００２５】
　さらに好適な例では、前記塗りつぶし色の変更指定を受付ける変更受付手段をさらに含み、
　前記解析手段は、変更受付手段に受付けられる変更指定に応答し、前記表示手段に表示する前記イベント要素を、塗りつぶし色を変更して表示することを特徴とする。この場合、デジタル放送受信者が自己の好みを反映させたり、見にくいと感じるイベント要素の色を変更するように指定することができる。
【００２６】
　また本発明で、前記解析手段は、前記解析結果に基づく前記タッチパネルの接触操作が行われる領域の割当てが込み入っているか否かを、予め定める基準に従って判断し、込み入っていると判断するときは、前記制御手段による最初の接触検出に応答し、該接触が検出される領域付近を拡大するように再度割当て、
　該制御手段は、解析手段によって再度割当てられる領域への接触の検出結果に応じて、前記応答を実行するように制御することを特徴とする。
【００２７】
　また本発明で、前記解析手段は、前記再度の割当て後の予め定める時間の範囲内に、前記制御手段が前記タッチパネルへの接触操作を検出しないとき、前記領域の再度の割当てを停止することを特徴とする。
【００２８】
　また本発明は、操作入力を受付け、入力結果を反映した放送情報を提供するための操作入力用情報を含むデジタル放送を受信可能なデジタル放送受信装置であって、
　表面上に接触することによって入力操作が可能なタッチパネルと、
　表示手段と、
　操作入力用情報を解析し、解析結果に基づいて、タッチパネルの所定領域に、操作入力の機能を割当てる解析手段と、
　タッチパネルへの接触操作に応答し、解析手段による割当てに従って、接触操作が行われる領域に応じて、相当する応答を実行させるように制御する制御手段とを含むことを特徴とするデジタル放送受信装置である。
【００２９】
　本発明によれば、解析手段が受信した操作入力用情報に基づき、タッチパネル操作による入力結果を反映した放送情報を提供するための制御をいかすべきかを解析する。そして制御手段が、解析手段による解析結果に基づきタッチパネルへの接触操作に応答した放送情報を提供する。したがって、ユーザは、タッチパネル操作によって、たとえば規定のリモコンによる操作と同様に所望の放送情報を入手することが可能となる。
【発明の効果】
【００３０】
　以上のように本発明によれば、リモコン装置への操作入力の機能をタッチパネルの領域に割当て、割当てられる領域に対する接触操作があれば、リモコン装置への操作入力として相当する動作を実行するので、リモコン装置を用いずに、デジタル放送でリモコン装置の使用を前提として放送されるデータを有効に利用することが可能となる。
【００３１】
　また本発明によれば、リモコン装置への入力操作によって発生するイベントに対応付けられ、予め設定される放送用の文書記述言語であるＢＭＬで記述されるコンテンツとして含まれる操作入力用情報を表示手段の表示画面に表示し、その表面にはタッチパネルが設置されるので、リモコン装置で選択して決定するようなボタン表示の上のタッチパネルの領域に接触すれば、直接操作入力用情報に対して選択操作を行うことができる。操作案内用の表示に対応するタッチパネルの領域に対して接触操作が行われると、その領域に割当てられているリモコン装置への操作入力によって発生するイベントを発生させるように制御するので、リモコン装置を用いないでも、同様の操作を行うことができる。
【００３２】
　また本発明によれば、データ放送で使用を前提にしているリモコン装置には、特殊キーが設けられ、イベント要素を選択するだけの入力用画像情報の表示には含まれないことが多い。特殊キーは、イベント要素として含まれていなくても、リモコン装置への操作入力として押されたときには、各特殊キーに設定されている応答動作を行う必要があるので、ソフトリモコン機能として、タッチパネルによる操作を可能し、タッチパネルへの操作で対応するイベントの発生を実現することができる。
【００３３】
　また本発明によれば、タッチパネルの領域が重ならないようにして、ソフトリモコンの入力操作と、入力操作用情報に基づくイベント要素への操作とを、容易に区別して行うことができる。
【００３４】
　また本発明によれば、タッチパネルでイベント要素の領域とソフリモコン機能用の領域とが重なっても、ソフトリモコン機能用に割当てる領域を一定時間毎に移動させて、イベント要素の領域がソフトリモコン機能用の操作案内用表示によって隠れてしまっても、一定時間が経過すれば見えるようにすることができる。
【００３５】
　また本発明によれば、予め定める時間内に操作されないソフトリモコン機能で表示が煩雑化されるのを避けることができる。
【００３６】
　また本発明によれば、操作入力用情報が表示される領域外に対応するタッチパネルの領域に接触することによってソフトリモコンの機能を作動させることができるので、必要に応じて適宜選択することができる。
【００３７】
　また本発明によれば、音声でソフトリモコン機能を作動させる指示を与えれば、タッチパネルに接触することなく、ソフトリモコン機能を作動させることができ、ソフトリモコン機能を適宜選択することができる。
【００３８】
　また本発明よれば、予め設定される時間間隔でソフトリモコン機能の有効と無効とを繰返すので、操作入力用情報の全体をソフトリモコン機能用の操作案内用の表示で隠すことなく表示し、ソフトリモコン機能用の操作案内表示も利用することが、交互に可能になる。
【００３９】
　また本発明によれば、デジタル放送受信者がタッチパネルに接触しながら接触位置を移動させ、タッチパネルから離れる位置で指示されるイベント要素を選択する動作で、リモコン装置の矢印キーの操作でカーソルを移動させ、決定キーの操作で、カーソルによって指示されるイベント要素を選択するような動作を、代用させることができる。
【００４０】
　また本発明によれば、タッチパネルの接触から離れる位置にイベント要素が存在しなければ、選択操作の取消しを行うことができる。
【００４１】
　また本発明によれば、イベント要素の表示を、他の画像と識別可能な表示態様で行うので、表示要素の中でどの要素が操作可能かを、デジタル放送の受信者が一目で判別可能となる。たとえば、要素の塗りつぶし色の変化で、イベント要素を他の要素と容易に判別可能なようにすることができる。また、デジタル放送受信者が自己の好みを反映させたり、見にくいと感じるイベント要素の色を変更するように指定することもできる。
【００４２】
　また本発明によれば、イベント要素として割当てるタッチパネルの領域が込み入っている場合に誤動作を避け、デジタル放送受信者の意図を確実に反映する動作を選択することができる。
【００４３】
　また本発明によれば、デジタル放送受信者がタッチパネルに最初に接触した位置が適切でないような場合でも、予め定める時間が経過すれば再度の割当てが停止され、不要な操作を省略することができる。
【００４４】
　また本発明によれば、受信した操作入力用情報に基づき、操作入手の機能をタッチパネルの所定領域に割当てられ、ユーザによる所望放送情報の入手のためのタッチパネル操作が可能となる。
【発明を実施するための最良の形態】
【００４５】
　図１は、本発明の実施の一形態としての車載用デジタル放送受信装置１０のハードウエアとしての構成を（ａ）で示し、ソフトウエアとしての構成を（ｂ）で示す。なお、本発明は車載用に限らず、家庭用などの据え置き用のテレビ受像機にも適用可能であることはもちろんである。
【００４６】
　図１（ａ）に示すように、本実施形態の車載用デジタル放送受信装置１０では、アンテナ１１でデジタル放送の電波を受信し、チューナ１２で選択や増幅を行う。復調器１３では、デジタル信号への変換を行う。ＤＥＭＵＸ１４では、図１０に示すような多重化されている状態から、サービスの種類毎にデータを分離する。オーディオデコーダ１５では、音声信号を復調してＡｕｄｉｏ出力として導出する。ビデオデコーダ１６では、映像信号を復調して、ＯＳＤ（On Screen Display ）１７で重ね合せ処理を行い、ディスプレイ１８で画像として表示する。ディスプレイ１８の表示画面には、透明なタッチパネル１９が貼付けられる。
【００４７】
　以上のような車載用デジタル放送受信装置１０の各部は、制御バス２０を介して、ＣＰＵ２１によって制御される。ＣＰＵ２１は、メモリ２２に含まれるＲＯＭなどに予め格納されているプログラムに従って制御の動作を行う。メモリ２２には、制御に必要なデータなどを一時的に記憶するＲＡＭなども含まれる。
【００４８】
　図１（ｂ）に示すソフトウエアの構成は、ＣＰＵ２１のプログラム動作によって実現される。ソフトウエアは、リアルタイム形のオペレーティングシステムであるＲＴＯＳ３０をベースに、各種ドライバ３１をデバイスドライバとして付加する形態に、さらに種々のプログラムが付加されて、タッチパネル１９を利用してデジタル放送受信者との間のインタフェースを行うＵＩ（User Interface）３２が動作する。ＵＩ３２では、ＢＭＬで記述されるデータを、インターネットのＷｅｂページと同様な、図１１に示す表示画面６ａ，６ｂのように表示するＢＭＬブラウザ３３が中心になる。ＢＭＬブラウザ３３を含むＵＩ３２の制御は、表示（描画）制御３４、タッチパネル制御３５、チューナ制御３６、復調器制御３７、デコーダ制御３８、受信制御３９などを含んで行われる。
【００４９】
　本実施形態では、ＢＭＬブラウザ３３で、変換・管理４０を利用する。変換・管理４０では、家庭用テレビジョン受像機とリモコン装置の使用とを前提にしているＢＭＬブラウザ３３用のデータを、ディスプレイ１８とタッチパネル１９とを使用可能なようにデータ変換を行う。データ変換には、たとえば、横８００画素×縦４８０画素で、対角長さが約１６５ｍｍである６．５形程度のディスプレイ１８の画面で、横１９２０画素×縦１０８０画素で、対角長さが約８１３ｍｍである３２形程度の家庭用テレビジョン受像機の画面を前提としている画像を適切に変換することも含まれる。このような変換のために、データ管理４１を行い、また各種モノメディア４２も利用する。ＢＭＬブラウザ３３とともに、ＥＰＧなどを利用する番組情報管理４３も行われ、番組選択４４なども可能になる。
【００５０】
　すなわち、本実施形態の車載用デジタル放送受信装置１０は、予め定める機能を備えるリモコン装置でのキー操作を前提として、受信者側での操作入力を受付け、入力結果を反映した放送情報を提供するための操作入力用情報を含むデジタル放送を、車両に搭載されて受信可能であって、表面上に接触することによって入力操作が可能なタッチパネル１９と、操作入力用情報に含まれる画像情報に基づく画像を表示する表示手段であるディスプレイ１８と、操作入力用情報に含まれるリモコン装置に関する動作を解析し、解析結果に基づいて、タッチパネルの接触操作用の領域に、リモコン装置への操作入力の機能を擬似的に割当てる解析手段である変換・管理４０と、タッチパネル１９への接触操作に応答し、変換・管理４０による割当てに従って、接触操作が行われる領域に応じて、擬似的なリモコン装置への操作入力に相当する応答を実行させるように制御する制御手段としてのＣＰＵ２１と含む。
【００５１】
　車載用デジタル放送受信装置１０は、変換・管理４０によって、リモコン装置への操作入力の機能をタッチパネル１９の領域に割当て、割当てられる領域に対する接触操作があれば、擬似的なリモコン装置への操作入力として相当する動作を実行するので、リモコン装置を用いずに、デジタル放送でリモコン装置の使用を前提として放送されるデータを有効に利用することが可能となる。
【００５２】
　図２は、本実施形態での基本的なＵＩ３２の動作手順を示す。なお、この処理はデータ放送受信時に行われる。ステップａ０から手順を開始し、ステップａ１では、図１０に示すＭＰＥＧ−ＴＳのデータの部分から、スタートページデータの取得を行う。ステップａ２では、取得したデータに含まれるイベント要素の解析と、描画要素の解析と、イベントと描画の関連付けとを、変換・管理４０で行う。ステップａ３では、ＢＭＬブラウザ３３による描画処理を行う。ステップａ４では、タッチパネル１９が操作されたか否かを判断し、操作されるまで判断を繰返す。タッチパネル１９が操作されると、ステップａ５でデータ放送が終了か否かを判断する。終了でなければ、ステップａ６でイベントの判定、選択している要素を区別して表示するフォーカスの移動、およびイベント発生などの処理を行う。ステップａ７では、イベント発生でページデータが要求されたか否かを判断する。要求されていなければステップａ３に戻り、要求されていればステップａ８で新たにページデータをＭＰＥＧ−ＴＳ信号から取得し、ステップａ２に戻る。ステップａ５で、データ放送終了と判断するときは、ステップａ９で手順も終了する。
【００５３】
　すなわち、本実施形態で受信するデジタル放送では、操作入力用情報を、リモコン装置への入力操作によって発生するイベントに対応付けられ、予め設定される放送用の文書記述言語であるＢＭＬで記述されるコンテンツとして含んでいる。タッチパネル１９は、ディスプレイ１８で操作入力用情報に含まれる画像情報に基づく画像を表示する画面の表面に設置され、ＢＭＬブラウザ３３は、変換・管理４０によるタッチパネル１９上の領域の割当てに対応して、ディスプレイ１８に操作案内用の表示を行う。ＣＰＵ２１は、操作案内用の表示に対応するタッチパネル１９の領域に対して接触操作が行われると、その領域に擬似的に割当てられているリモコン装置への操作入力によって発生するイベントを発生させるように制御する。タッチパネル１９はディスプレイ１８が操作入力用情報に基づく画像を表示する表示画面の表面に設置されるので、リモコン装置で選択して決定するようなボタン表示の上のタッチパネル１９の領域に接触すれば、直接操作入力用情報に基づく画像に対して選択操作を行うことができる。ＣＰＵ２１は、操作案内用の表示に対応するタッチパネル１９の領域に対して接触操作が行われると、その領域に擬似的に割当てられているリモコン装置への操作入力によって発生するイベントを発生させるように制御するので、リモコン装置を用いないでも、同様の操作を行うことができる。
【００５４】
　図３は、本実施形態で、変換・管理４０がソフトリモコンの機能を実現する動作手順を示す。操作入力用情報に変化があった際に（あるいは所定時間間隔で）手順を開始し、ステップｂ１では、変換・管理４０で、図２のステップａ２で解析した表示要素とイベントとを比較する。ステップｂ２では、表示要素のないイベントが存在するか否かを判断する。表示要素のないイベントとは、たとえば図１１のリモコン装置７で、数字キー７ｃや、カラーボタン７ｄなどの特殊キーを押す操作である。このようなイベントが存在するときは、ステップｂ３で、ソフトリモコンとして表示する位置を、まずデフォルト位置に設定する。ステップｂ４では、デフォルト位置のソフトリモコンと、ＢＭＬに従って表示する表示要素とが重なるか否かを判断する。重なると判断するときには、ステップｂ５で、ソフトリモコンの表示位置が表示要素と重ならないように探索する。ステップｂ６では、ソフトリモコンが表示要素とが重ならないような表示位置が存在するか否かを判断する。存在しないと判断するときは、ステップｂ７でタイマ処理をＯＮにして作動させる。次にステップｂ８で、ソフトリモコンの位置を変更し、ステップｂ９でソフトリモコンの描画を行う。
【００５５】
　ステップｂ６でソフトリモコンの表示位置が存在すると判断するときは、ステップｂ７のタイマ処理ＯＮを行わないで、ステップｂ８でのソフトリモコン位置変更を行う。ステップｂ６でソフトリモコンの表示位置が存在しないと判断するときは、ステップｂ７でタイマ処理をＯＮにする。タイマ処理がＯＮになっていると、ステップｂ９の後、ステップｂ１０からステップｂ８に戻り、ソフトリモコンの表示位置を変える。タイマ処理がＯＮでなければ、ステップｂ１０の後、ステップｂ１１で手順を終了する。
【００５６】
　ステップｂ４で、デフォルト位置のソフトリモコンと表示要素とが重ならないと判断するときは、ステップｂ９でデフォルト位置にソフトリモコンの描画を行い、タイマ処理がＯＮではないので、ステップｂ１０からステップｂ１１で手順を終了する。ソフトリモコンの表示がデフォルト位置に行われるので、デジタル放送の受信者にとって判り易くすることができる。ステップｂ２で表示要素のないイベントが存在しないと判断するときは、ステップｂ１２で手順を終了する。
【００５７】
　図４は、ソフトリモコン表示の例を、図１１に示すカラーボタン７ｄに対応して示す。図４（ａ）は、表示画面５０のデフォルト位置にソフトリモコン５１、５２、５３、５４を表示している状態を示す。図４（ｂ）は、表示画面５０上に表示される表示要素５５を避けて、ソフトリモコン５１，５２，５３，５４の位置を変更して表示している状態を示す。全部のソフトリモコン５１，５２，５３，５４の位置を変えないで、一部のみ変えるようにすることもできる。
【００５８】
　すなわち、変換・管理４０では、リモコン装置の操作入力機能に、動作の解析によっては領域を割当てられない操作入力機能が含まれるとき、その操作入力機能に対しても、タッチパネル１９の接触操作用の領域をソフトリモコン機能用として割当てる。そのソフトリモコン機能用の領域に対応し、ディスプレイ１８にソフトリモコン機能の操作案内用の表示を行う。データ放送で使用を前提にしているリモコン装置には、数字キーやカラーキーなどの特殊キーが設けられている。特殊キーなどは、図１２に示すようなイベント要素を選択するだけの入力用情報に基づく画像の表示には含まれないことが多い。特殊キーは、イベント要素として含まれていなくても、リモコン装置への操作入力として押されたときには、各特殊キーに設定されている応答動作を行う必要がある。
【００５９】
　変換・管理４０は、特殊キーなどに相当して、入力操作用情報中には、ＢＭＬ言語による要素表示の記述がないような場合でも、ソフトリモコン機能として、タッチパネル１９による操作を可能にするので、操作入力用情報中では特に表示が記述されていないようなイベントでも、タッチパネルへ１９の操作で発生を実現することができる。
【００６０】
　また、変換・管理４０では、ソフトリモコン機能用として割当てるタッチパネル１９の領域を、動作の解析によって割当てられる領域には重ならないように、位置を変更して割当てる。ソフトリモコン機能用として割当てる領域を、動作の解析によって割当てられる領域には重ならないように、タッチパネル１９に割当てるので、ソフトリモコンの入力操作と、入力操作用情報に基づくイベント要素への操作とを、容易に区別して行うことができる。
【００６１】
　また、変換・管理４０では、前記ソフトリモコン機能用として割当てる領域が存在しない場合は、タイマ処理をＯＮにして、一定時間毎に割当てる領域を移動させる。タッチパネル１９でイベント要素の領域とソフトリモコン機能用の領域とが重なるようにしか配置することができなくても、ソフトリモコン機能用に割当てる領域を、一定時間毎に移動させるので、ソフトリモコン機能用の操作案内用表示によって隠れてしまう下地の画像が見えなくても、一定時間が経過すれば見えるようにすることができる。
【００６２】
　さらに、操作入力用情報に基づく画像の表示と重ならないようにソフトリモコン機能に割当てるようなタッチパネルの領域がないような場合には、予め設定される時間間隔で、ソフトリモコン機能の有効と無効とを繰返すようにすることもできる。これによって、一定時間間隔でソフトリモコン機能が有効になり、利用することが可能になる。ソフトリモコン機能が有効になっても、予め設定される時間が経過すれば、無効になって、操作案内用の表示も停止するので、操作入力用情報に基づく画像の全体をソフトリモコン機能用の操作案内用の表示で隠すことなく表示することができる。
【００６３】
　図５は、本実施形態で、ソフトリモコンの機能を、デジタル放送受信者の選択によって作動させたり、停止させたりする制御手順を示す。所定時間間隔で手順を開始し、ステップｃ１では、音声認識装置が存在するか否かを判断する。図１（ａ）に示すハードウエア構成では存在しないので、ステップｃ２に進む。ステップｃ２では、たとえば図４で、ソフトリモコン５１，５２，５３，５４が表示されていない状態の表示画面５０で、要素表示も行われていない領域にタッチがなされたか否かを判断し、タッチされなければ処理を終える。タッチされると、ステップｃ３で図４に示すようなソフトリモコン５１，５２，５３，５４の表示を行う。ステップｃ４では、一定時間内にソフトリモコン５１，５２，５３，５４が操作されたか否かを判断し、操作されるか、一定時間が経過するまで、判断を繰返す。ソフトリモコン５１，５２，５３，５４への操作があるか、一定時間が経過すると、ステップｃ５でソフトリモコン５１，５２，５３，５４の表示を消去し、ステップｃ６で手順を終了する。
【００６４】
　すなわち、変換・管理４０では、ソフトリモコン機能用に対する操作入力が予め定める時間内に行われないとき、ソフトリモコン機能用としての割当てを停止し、ソフトリモコン機能に対する操作案内用の表示も停止する。これによって、ディスプレイ１８に対する表示は操作入力用情報に基づくもののみとなり、操作されないソフトリモコン機能で表示が煩雑化されるのを避けることができる。
【００６５】
　また、変換・管理４０は、ディスプレイ１８で操作入力用情報に基づく画像が表示される領域外に対応するタッチパネル１９の領域に、ソフトリモコン機能を作動させる領域を割当て、その領域への接触操作を検知することによって、ソフトリモコンの機能を作動させる。ソフトリモコンの機能は、ディスプレイ１８で操作入力用情報に基づく画像が表示される領域外に対応するタッチパネル１９の領域に接触することによって作動させることができるので、デジタル放送受信者の必要に応じて適宜選択することができる。
【００６６】
　なお、図５のステップｃ１で、音声認識装置が存在すると判断するときは、ステップｃ７で、ステップｃ２と同様な要素以外の表示領域へのタッチの検出、または音声による指示が認識されたか否かを判断する。タッチまたは認識がなされなければ処理を終える。タッチまたは認識がなされると、ステップｃ３でソフトリモコン５１，５２，５３，５４の表示を行う。図１（ａ）には、音声認識装置は示されていないけれども、車載用の場合、同時に搭載されることが多いナビゲーション装置などには音声認識機能が搭載されることがあり、またオプションとして音声認識装置を付加する場合もありうる。
【００６７】
　すなわち本実施形態で、音声入力を認識する音声認識手段をさらに含む場合は、変換・管理４０では、音声認識手段が予め定める指示を認識する結果に応答して、ソフトリモコン機能を作動させることもできる。これによって、デジタル放送受信者が音声で、音声入力を認識する音声認識手段にソフトリモコン機能を作動させる指示を与えれば、タッチパネル１９に接触することなく、ソフトリモコン機能を作動させることができ、ソフトリモコン機能を、デジタル放送受信者の必要に応じて適宜選択することができる。
【００６８】
　図６は、本実施形態でのソフトリモコン機能を、さらに操作しやすくする制御手順を示す。操作入力用情報が変化した際（あるいは所定時間間隔）に手順を開始し、ステップｄ１では、図２のステップａ２と同様に、変換・管理４０は、表示要素の解析を行う。ステップｄ３では、表示要素が混み合っているか否かを予め定める基準に基づいて判断する。表示要素が込み入っており、表示が混み合っていると判断するときは、ステップｄ３に移り、混み合っている領域に一定時間タッチされたか否かを判断し、また、一定時間以内にタッチされなければステップｄ５に移る。タッチされると、ステップｄ４で、タッチされた領域付近を拡大表示する。ステップｄ５でソフトリモコン機能は、前述のような一定時間間隔で、描画と消去とを繰返す。ステップｄ６では、ソフトリモコンまたは拡大表示された表示要素に対する操作が一定時間内に有るか否かを判断し、一定時間経過または操作されるまで、判断を繰返す。一定時間経過、または操作されると、ステップｄ７で拡大表示を終了し、ステップｄ８で手順を終了する。ステップｄ２で表示要素が混み合っていないと判断するときは、ステップｄ９で、拡大表示なしに手順を終了する。
【００６９】
　図７は、表示要素が混み合っているか否かを判断する基準の例を示す。表示画面６０上に隣接して表示される表示要素６１，６２の中心線６１ａ，６２ａ間の距離Ｄがタッチパネル１９の分解能以下になると、表示要素６１，６２を選択するイベントなどの識別が不可能になる。したがって、ディスプレイ１８の解像度に余裕があって、表示要素６１，６２を明瞭に区別することが可能でも、タッチパネル１９の接触操作でイベントを区別することができなくなってしまう。このようなデータの管理を図１（ｂ）のデータ管理４１で行い、表示要素が混み合っているか否かの判断基準とすることができる。
【００７０】
　すなわち、変更・管理４０では、解析結果に基づくタッチパネル１９の接触操作が行われる領域の割当てが込み入っているか否かを、予め定める基準に従って判断し、込み入っていると判断するときは、最初の接触検出に応答し、接触が検出される領域付近を拡大するように再度割当て、再度割当てられる領域への接触の検出結果に応じて、イベントへの応答を実行する。イベント要素として割当てるタッチパネル１９の領域が込み入っている場合、ディスプレイ１８の解像度と、タッチパネル１９の分解能とによっては、どのイベント要素が選択されたか判別することができず、誤動作することが考えられる。予め定める基準に従って、込み入っていると判断される場合は、最初の接触検出時に、接触検出位置付近を拡大するように再度割当て、再度割当てた結果に対する接触位置の検出でイベント要素の選択等の動作を判断するので、デジタル放送受信者の意図を確実に反映する動作を選択することができる。
【００７１】
　また、変更・管理４０では、再度の割当て後の予め定める時間の範囲内に、タッチパネル１９への接触操作を検出しないとき、領域の再度の割当てを停止するので、デジタル放送受信者がタッチパネル１９に最初に接触した位置が適切でなく、接触位置付近の拡大では所望の操作を行うことができないような場合でも、予め定める時間が経過すれば再度の割当てが停止され、元の割当て状態に復帰するので、不要な操作を省略することができる。
【００７２】
　図８は、本実施形態で、変換・管理４０が、ディスプレイ１８にカーソルと、予め定めるイベントに対応付けられ、カーソルの位置で指定可能なイベント要素とを表示し、リモコン装置がカーソルを移動させるイベントとして、タッチパネル１９への接触位置の移動を対応させる制御手順を示す。所定時間間隔で手順を開始し、ステップｅ１ではタッチパネル１９へタッチされたか否かを判断し、一定時間以内にタッチがなければ処理を終える。タッチされると、ステップｅ２で、タッチされる位置の移動で遷移のイベントを発生させるための座標確認処理を行う。ステップｅ３では、タッチ終了か否かを判断する。タッチ終了でないと判断するときは、ステップｅ２に戻り、座標確認処理を繰返す。ステップｅ３でタッチ終了と判断するときは、ステップｅ４で、タッチ終了位置の周辺に要素が存在するか否かを判断する。要素が存在すると判断するときは、ステップｅ５で、図１１に示すようなリモコン装置７で決定キー７ｂを押したときと同様な決定処理を行い、ステップｅ６で手順を終了する。
【００７３】
　すなわち、リモコン装置がカーソルの位置でイベント要素の決定を行うイベントとして、タッチパネル１９への接触を停止して離脱する動作を対応させる。ディスプレイ１８上の操作入力用情報でカーソルが表示され、リモコン装置の矢印キーの操作でカーソルを移動させ、決定キーの操作で、カーソルによって指示されるイベント要素を選択するような動作を、デジタル放送受信者がタッチパネル１９に接触しながら接触位置を移動させ、タッチパネル１９から離れる位置で指示されるイベント要素を選択する動作で代用させることができる。
【００７４】
　また図８のステップｅ４で周辺に要素が存在しないと判断するときは、ステップｅ５の決定処理を行わずに、ステップｅ６で手順を終了する。タッチパネル１９への接触を停止して離脱する位置に対応するディスプレイ１８の操作入力用情報に、イベント要素が存在しなければ、決定を行う動作として解釈しないので、リモコン装置の決定キーを押さない状態を代用させ、選択操作の取消しを行うことができる。
【００７５】
　図９は、変換・管理４０で、ディスプレイ１８へのイベント要素の表示を、予め他の画像と識別可能なように設定される表示態様で行うようにする制御手順を示す。所定時間間隔で手順を開始し、ステップｆ１ではイベント要素が存在するか否かを判断する。イベント要素があると判断するときは、ステップｆ２で、ユーザ設定があるか否かを判断する。ユーザ設定がないときは、ステップｆ３で、予め設定されているデフォルト設定を変更するか否かを判断する。表示画面のデータから、イベント要素のデフォルト設定での塗りつぶし色などが、表示画面の他の要素の色と近いような場合は、デフォルト設定を変更するように、自動的に判断される。この自動的な判断では、ステップｆ４で設定色を決定する。たとえば、変更候補の色を予め設定しておき、他の要素の色との違いが大きい色を選択するようにすればよい。ステップｆ２でユーザ設定があると判断するときは、ステップｆ４で、デジタル放送受信者であるユーザの設定した色に決定する。次にステップｆ５では、決定した色によるマーキング処理を行い、ステップｆ６で手順を終了する。ステップｆ１でイベント要素が存在しないと判断するときは、マーキング処理を行わないで、手順を終了する。
【００７６】
　すなわち、選択すれば何らかのイベントが存在するイベント要素の表示を、他の画像と識別可能な表示態様として、予め定めるマーキングなどを施して行うので、表示要素の中でどの要素が操作可能かを、デジタル放送の受信者が一目で判別可能となる。イベント要素の表示を、表示の塗りつぶし色を変更する表示態様で行うと、塗りつぶし色の変化で、イベント要素を他の要素と容易に判別可能なようにすることができる。また、ＢＭＬブラウザ３３などを塗りつぶし色の変更指定を受付ける変更受付手段として、デジタル放送受信者であるユーザからの変更指定に応答し、ディスプレイ１８に表示するイベント要素を、塗りつぶし色を変更して表示するので、デジタル放送受信者が自己の好みを反映させたり、見にくいと感じるイベント要素の色を変更するように指定することができる。
【図面の簡単な説明】
【００７７】
【図１】本発明の実施の一形態である車載用デジタル放送受信装置１０の概略的案ハードウエアの構成と、ソフトウエアの構成とをそれぞれ示すブロック図である。
【図２】図１の実施形態でのＵＩ３２の基本的な動作手順を示すフローチャートである。
【図３】図１の実施形態で、ソフトリモコン機能の制御手順を示すフローチャートである。
【図４】図１の実施形態で、ソフトリモコン機能で表示される表示画面５０の例を示す図である。
【図５】図１の実施形態で、ソフトリモコン機能を作動させる手順を示すフローチャートである。
【図６】図１の実施形態で、込み入った表示要素の部分を拡大して操作を受ける手順を示すフローチャートである。
【図７】図６の手順で、込み入っているか否かの判断基準の例を示す図である。
【図８】図１の実施形態で、カーソル移動で選択を行う手順を示すフローチャートである。
【図９】図１の実施形態で、イベント要素を他の表示と区別して表示する手順を示すフローチャートである。
【図１０】デジタル放送で送信されるＭＰＥＧ−ＴＳ信号を示す図である。
【図１１】デジタル放送でデータを記述するＢＭＬの概要を示す図である。
【符号の説明】
【００７８】
　１０　車載用デジタル放送受信装置
　１８　ディスプレイ
　１９　タッチパネル
　２１　ＣＰＵ
　２２　メモリ
　３０　ＲＴＯＳ
　３２　ＵＩ
　３３　ＢＭＬブラウザ
　４０　変換・管理
　４１　データ管理
　５０，６０　表示画面
　５１，５２，５３，５４　ソフトリモコン
　５５，６１，６２　表示要素
【図１】
2004140811.tif 000003
【図２】
2004140811.tif 000004
【図３】
2004140811.tif 000005
【図４】
2004140811.tif 000006
【図５】
2004140811.tif 000007
【図６】
2004140811.tif 000008
【図７】
2004140811.tif 000009
【図８】
2004140811.tif 000010
【図９】
2004140811.tif 000011
【図１０】
2004140811.tif 000012
【図１１】
2004140811.tif 000013